(57)【要約】【課題】送風路内でのイオンの消滅を防止しながら、イオン生成器が発生する放電音の外部への漏れ出しを有効に低減し、高い清浄化機能と静粛な運転とを両立することが可能な空気清浄装置を提供する。【解決手段】吸気口１２及び送気口１７と、これらを連絡する送風路とが設けられた外筐１の内部に送風機２及びイオン生成器３を備え、イオン生成器３が生成するイオンを、送風機２の動作により吸気口１２から送気口１７に向けて流れる気流によって搬送し、送気口１７を経て外部に放出して、設置空間内の空気を清浄化する空気清浄装置において、送風機２を、気流の流れ方向に沿う軸回りに回転する羽根車２２を有する軸流送風機とし、イオン生成器３を、送風機２よりも気流の流れ方向上流側に配した構成とする。【選択図】図２
2012237458.tif 000002
【特許請求の範囲】
【請求項１】
吸気口及び送気口とこれらを連絡する送風路とが設けられた外筐の内部に送風機及びイオン生成器を備え、該イオン生成器が前記送風路内に生成するイオンを、前記送風機の動作により前記吸気口から前記送気口に向けて流れる気流によって搬送し、前記送気口を経て前記外筐の設置空間に放出して、該設置空間内の空気を清浄化する空気清浄装置において、
前記送風機は、前記気流の流れ方向に沿う軸回りに回転する羽根車を有する軸流送風機であり、前記イオン生成器は、前記送風機よりも前記気流の流れ方向上流側に配してあることを特徴とする空気清浄装置。
【請求項２】
前記送風路の内部の前記イオン生成器よりも前記気流の流れ方向下流側に吸音手段を備えることを特徴とする請求項１に記載の空気清浄装置。
【請求項３】
前記吸音手段は、前記羽根車の前記気流の流れ方向上流側への対向面の少なくとも一部に吸音材を被着して構成してあることを特徴とする請求項２に記載の空気清浄装置。
【請求項４】
前記外筐は、前記吸気口を備える吸気筐と、前記送気口と前記送風機及びイオン生成器の取付け部とを備える送気筐とを着脱可能に連結して構成してあることを特徴とする請求項１から請求項３のいずれか１つに記載の空気清浄装置。
【請求項５】
前記送風機の取付け部は、前記吸気筐との連結部に面して設けてあり、前記イオン生成器の取付け部は、前記送風機の取付け部から前記吸気筐内に向けて突設してあることを特徴とする請求項４に記載の空気清浄装置。
【請求項６】
前記イオン生成器は、着脱可能に取付けてあることを特徴とする請求項４又は請求項５に記載の空気清浄装置。
【請求項７】
前記吸気筐の内部に着脱可能に取付けてあり、前記吸気口を覆う集塵フィルタを備えることを特徴とする請求項４から請求項６のいずれか１つに記載の空気清浄装置。
【請求項８】
前記集塵フィルタは、前記イオン生成器よりも前記気流の流れ方向上流側に配してあることを特徴とする請求項７に記載の空気清浄装置。
【請求項９】
前記吸気筐と前記送気筐との連結を検出する検出手段と、該検出手段が非検出状態にあるとき、前記イオン生成器及び送風機の動作を禁じる手段とを備えることを特徴とする請求項４から請求項７のいずれか１つに記載の空気清浄装置。
【請求項１０】
前記検出手段は、前記吸気筐及び送気筐の一方に取付けてあり、他方との接触によりオンする接触スイッチであることを特徴とする請求項８に記載の空気清浄装置。
【発明の詳細な説明】
【技術分野】
【０００１】
本発明は、正イオン及び負イオンを放出し、放出空間内の空気を清浄化する空気清浄装置に関する。
【背景技術】
【０００２】
近年、健康志向の高まりに応じて、居住空間内の空気を清浄化することを目的とする空気清浄装置が広く使用されている。空気清浄装置は、種々の構成にて実用化されており、そのうちの１つとして、正イオン及び負イオンを居住空間に放出し、該居住空間内に浮遊する細菌、ウイルスを不活性化し、また臭い成分を分解除去せしめて、居住空間の空気を清浄化するように構成された空気清浄装置がある（例えば、特許文献１参照）。
【０００３】
この空気清浄装置は、外筐の内部に設けた送風路内に送風機及びイオン生成器を備えている。送風路は、外筐に開設された吸気口と送気口とを連絡するように設けてある。送風機は、モータ駆動により回転する羽根車を備えており、該羽根車の回転により、前記送風路の内部に気流を発生させる。イオン生成器は、対向電極間に高圧交流の駆動電圧を印加してプラズマ放電を生ぜしめ、空気中の水分子を帯電させて、Ｈ+ （Ｈ2 Ｏ）m （正イオン）と、Ｏ2 - （Ｈ2 Ｏ）n （負イオン）を生成する。
【０００４】
空気清浄装置は、設置された室内の空気を、送風機の動作により吸気口から送風路内に吸い込み、該送風路内を流れて送気口を経て室内に送り出す。イオン生成器により生成される正イオン及び負イオン（以下、単にイオンという）は、送風路内の気流によって搬送され、送気口を経て室内に放出され、該室内の全体に行き渡り、細菌、ウイルス、各種の臭い成分等に付着してＯＨラジカルに変化し、付着物から水素を抜き取り、該付着物を分解又は不活性化させる。
【先行技術文献】
【特許文献】
【０００５】
【特許文献１】特開２０１０−５５９６０号公報
【発明の概要】
【発明が解決しようとする課題】
【０００６】
以上のように構成された空気清浄装置は、居住空間内に放出されたイオンが、細菌、ウイルス、臭い成分等に作用して、これらを分解又は不活性化させることで空気を清浄化することから、清浄化効果を高めるためには、イオンの放出量を可及的に多くする必要がある。一方、イオン生成器が生成するイオンは、気流中に混在して送風路内を流れる際に、該送風路の各部と接触して消滅し易いという問題がある。
【０００７】
従来の空気清浄装置においては、気流中に混在するイオンは、送風機の羽根車と衝突し易いことに着目し、更に、送風路の内壁に対するイオンの衝突も有効に回避することを目的として、送風機の下流側で、送風路の末端に開口する送気口の近くにイオン生成器を配置し、該イオン生成器が生成するイオンを無駄なく放出できるようにしている。
【０００８】
しかしながら、イオン生成器は、対向電極間でのプラズマ放電によりイオンを生成するように構成されており、イオン生成動作に伴って放電音を発生することが避けられず、前述したように、送気口の近くにイオン生成器を配置した場合、該イオン生成器が発生する放電音の多くが送気口を経て室内に漏れ出すこととなる。
【０００９】
空気清浄装置は、一般的に、夜間、就寝中等、静寂な環境下においても使用される機器であり、室内に漏れ出す放電音が多い場合、この漏れ出し音が耳障な騒音として使用者に聴取され、使用感の悪化を招来するという問題がある。
【００１０】
なおイオン生成器の発生音は、送風機の発生音（駆動用のモータの動作音、羽根車の風切り音等）に比較して小さいが、送風機の発生音は、回転速度を低くする等、運転条件の変更により低減し得るのに対し、イオン生成器の発生音は、イオン生成に不可欠な放電に起因する音であることから、運転状態の変更により低減することはできず、使用感の悪化を招来するという問題があった。
【００１１】
本発明は斯かる事情に鑑みてなされたものであり、送風路内でのイオンの消滅を防止しながら、イオン生成器が発生する放電音の外部への漏れ出しを有効に低減し、高い清浄化機能と静粛な運転とを両立することが可能な空気清浄装置を提供することを目的とする。
【課題を解決するための手段】
【００１２】
本発明に係る空気清浄装置は、吸気口及び送気口とこれらを連絡する送風路とが設けられた外筐の内部に送風機及びイオン生成器を備え、該イオン生成器が前記送風路内に生成するイオンを、前記送風機の動作により前記吸気口から前記送気口に向けて流れる気流によって搬送し、前記送気口を経て前記外筐の設置空間に放出して、該設置空間内の空気を清浄化する空気清浄装置において、前記送風機は、前記気流の流れ方向に沿う軸回りに回転する羽根車を有する軸流送風機であり、前記イオン生成器は、前記送風機よりも前記気流の流れ方向上流側に配してあることを特徴とする。
【００１３】
本発明においては、送風路内でのイオン生成器の配設位置を、送風機よりも気流の流れ方向上流側、即ち、送気口から離れた位置に設定し、イオン生成器が発生する放電音が送気口を経て外部に漏れ出すことを防止し、静粛な運転を実現する。イオン生成器が生成するイオンは、気流と共に送風路内を流れる間に、イオン生成器よりも下流側に配した送風機の羽根車及び送風路の内壁と接触するが、送風機は、流れ方向に沿う軸回りに回転する羽根車を有する軸流送風機であり、羽根間の流路面積が大きく、直線状の送風路内での配置が可能であるから羽根車及び送風路の内壁との接触によるイオンの消滅を軽微に抑え、イオンの放出量を十分に確保して所望の清浄化効果を実現することができる。
【００１４】
また本発明に係る空気清浄装置は、前記送風路の内部の前記イオン生成器よりも前記気流の流れ方向下流側に吸音手段を備えることを特徴とする。
【００１５】
この発明においては、イオン生成器が発生する放電音を下流側に設けた吸音手段により吸収し、外部への漏れ出し音を抑制して、一層静粛な運転を可能とする。
【００１６】
また本発明に係る空気清浄装置は、前記吸音手段が、前記羽根車の前記気流の流れ方向上流側への対向面の少なくとも一部に吸音材を被着して構成してあることを特徴とする。      
【００１７】
この発明においては、軸流送風機の羽根車の気流の流れ方向上流側への対向面、具体的には、羽根車及びハブ部の前面の一部又は全部に吸音材を被着し、効果的な吸音が可能な吸音手段を簡素な構成にて実現する。
【００１８】
また本発明に係る空気清浄装置は、前記外筐が、前記吸気口を備える吸気筐と、前記送気口と前記送風機及びイオン生成器の取付け部とを備える送気筐とを着脱可能に連結して構成してあることを特徴とする。
【００１９】
この発明においては、吸気筐と送気筐とを分離し、送気筐の各別の取付け部に取付けたイオン生成器に対する接触を可能とし、点検、保守のための作業を容易にする。
【００２０】
また本発明に係る空気清浄装置は、前記送風機の取付け部が、前記吸気筐との連結部に面して設けてあり、前記イオン生成器の取付け部が、前記送風機の取付け部から前記吸気筐内に向けて突設してあることを特徴とする。
【００２１】
この発明においては、送気筐内での送風機の取付け部が、吸気筐との連結部に面して設けてあり、使用者は、吸気筐と送気筐とを分離することで、送風機の状態確認、及び送風機への接触が可能であり、点検、保守作業を容易に実施することができる。イオン生成器は、送風機の取付け部から吸気筐内に向けて突設された取付け部に取付けてあり、吸気筐の内部で送風機の上流側に配置される。吸気筐と送気筐とを分離した場合、イオン生成器は、送気筐と共に吸気筐から離れ、使用者は、イオン生成器の状態確認、及びイオン生成器への接触が可能であり、点検、保守作業を容易に実施することができる。
【００２２】
また本発明に係る空気清浄装置は、前記イオン生成器が、着脱可能に取付けてあることを特徴とする。
【００２３】
この発明においては、イオン生成器を取付け部から取外し、例えば、対向電極の清掃等の繊細な作業を安定した状態で実施することができる。
【００２４】
また本発明に係る空気清浄装置は、前記吸気筐の内部に着脱可能に取付けてあり、前記吸気口を覆う集塵フィルタを備えることを特徴とする。
【００２５】
この発明においては、吸気口を覆う集塵フィルタを吸気筐の内部に取付け、吸気筐と共に分離可能とする。集塵フィルタは、吸気口を経て送風路内に進入しようとする塵埃を捕捉する。塵埃の捕捉により目詰まりした集塵フィルタは、吸気筐と共に持ち運び、分離した状態で着脱することで、簡易に、しかも周囲を汚さずに交換することができる。
【００２６】
また本発明に係る空気清浄装置は、前記集塵フィルタが、前記イオン生成器よりも前記気流の流れ方向上流側に配してあることを特徴とする。
【００２７】
この発明においては、吸気口から集塵フィルタを経て送風路内に吸い込まれ、該送風路内を流れる気流の略全量がイオン生成器の配設位置を通るから、イオン生成器が生成するイオンの略全量を送気口を経て設置空間に放出することができ、イオンの作用による清浄化効果を良好に実現することができる。
【００２８】
また本発明に係る空気清浄装置は、前記吸気筐と前記送気筐との連結を検出する検出手段と、該検出手段が非検出状態にあるとき、前記イオン生成器及び送風機の動作を禁じる手段とを備えることを特徴とする。
【００２９】
この発明においては、吸気筐と送気筐とが分離されている場合、検出手段の非検出に応じてイオン生成器及び送風機の動作が禁止される。従って、分離した状態で実施される点検、保守作業中に、不用意な操作によりイオン生成器及び送風機が動作する虞れがなく、安全な作業を行わせることができる。
【００３０】
更に、本発明に係る空気清浄装置は、前記検出手段が、前記吸気筐及び送気筐の一方に取付けてあり、他方との接触によりオンする接触スイッチであることを特徴とする。
【００３１】
この発明においては、吸気筐及び送気筐の一方に取付けた接触スイッチが他方と接触してオンするから、両筐の連結を簡素な構成で検出し、非連結時にイオン生成器及び送風機の動作を禁じる安全対策を確実に実施することができる。
【発明の効果】
【００３２】
本発明に係る空気清浄装置においては、送風路内に気流を発生する送風機の上流側にイオン生成器を配したから、イオン生成器が発生する放電音が送風路の下流端に開口する送気口を経て外部に漏れ出すことを有効に防止することができる上、前記送風機を軸流送風機としたから、羽根間の流路面積を十分に確保し、また送風路を直線状として、イオン生成器が生成するイオンの接触による消滅を軽微に抑え、送気口からのイオンの放出量を十分に確保することができ、静粛な運転と良好な空気清浄効果とを両立することが可能となる等、本発明は優れた効果を奏する。
【図面の簡単な説明】
【００３３】
【図１】実施の形態に係る空気清浄装置の外観を略示する斜視図である。
【図２】実施の形態に係る空気清浄装置の内部構成を略示する正面断面図である。
【図３】実施の形態に係る空気清浄装置の内部構成を略示する側断面図である。
【図４】吸気筐を分離した状態を示す断面図である。
【図５】送気筐を分離した状態を示す断面図である。
【図６】他の実施の形態に係る空気清浄装置の内部構成を略示する側断面図である。
【発明を実施するための形態】
【００３４】
以下本発明をその実施の形態を示す図面に基づいて詳述する。図１は、実施の形態に係る空気清浄装置の外観を略示する斜視図、図２は、実施の形態に係る空気清浄装置の内部構成を略示する正面断面図、図３は、同じく側断面図である。
【００３５】
図２、図３に示すように、空気清浄装置は、外筐１の内部に、送風機２及びイオン生成器３を備えている。外筐１は、矩形断面の中空筒形をなす吸気筐１０と送気筐１１とを、夫々の一端部を同軸上に整合させ、相互に連結して構成されている。
【００３６】
吸気筐１０と送気筐１１との連結は、例えば、一方の連結側端部の周縁の複数箇所に弾性変形可能な係合爪（図示せず）を突設し、他方の連結側端部の周縁に前記係合爪の夫々と対応する係合凹部（図示せず）を設けて、各係合爪を対応する係合凹部に係合させることにより実現されている。この連結は、適宜の操作により容易に解除することができ、吸気筐１０と送気筐１１とは、着脱可能である。
【００３７】
図２に示すように、吸気筐１０の他端部には、略全面に開口する吸気口１２が設けてある。また吸気筐１０の内部には、集塵フィルタ１３が取付けてある。該集塵フィルタ１３は、有底筒状をなすフィルタホルダ１４に、底面の略全部、及び底面に連続する周面の一部を形成するように、一体又は別体に保持されている。フィルタホルダ１４は、他側の外面に周設されたフランジ１４ａを備えており、図２に示すように集塵フィルタ１３は、フィルタホルダ１４のフランジ１４ａを吸気筐１０の開口部内面に周設された鍔部１０ａ上に載置することにより、吸気筐１０の内部で、前記吸気口１２の全面を覆うように取付けられている。
【００３８】
吸気口１２と同側の吸気筐１０の外面には、４隅の夫々に支持脚１５が突設されている。空気清浄装置は、図２及び図３に示すように、支持脚１５の夫々により、吸気筐１０を下とし、送気筐１１を上とした起立姿勢で載置面Ａ上に支持した状態で使用される。このとき、吸気筐１０に設けた吸気口１２は、載置面Ａの上方に、支持脚１５の高さ分だけ離隔した状態で対向する。載置面Ａは、床面、机又は棚の天面、空気清浄装置を設置する室内で適宜に選定される。
【００３９】
一方、送気筐１１の内部には、円筒形の通気ダクト１６が同軸をなすように固定してあり、送気筐１１の他端部には、通気ダクト１６の一端に整流用のグリッドを備えて構成された送気口１７が開設されている。
【００４０】
前記送風機２は、単寸の円筒形をなすハウジング２０、該ハウジング２０の中心部に同軸的に固設されたモータ２１、及び該モータ２１の出力端に取付けた羽根車２２とを備える軸流送風機であり、ハウジング２０を通気ダクト１６に内嵌固定し、図２、図３に示すように、羽根車２２が吸気筐１０との連結側に位置するように取付けてある。
【００４１】
送風機２の羽根車２２は、モータ２１の駆動により回転し、ハウジング２０の内部に、下方から上方に向けて軸方向に流れる気流を発生する。これにより吸気筐１０内には、図２中に矢符により示す如く、下端に開口する吸気口１２を経て外気が吸い込まれ、吸い込まれた外気は、吸気口１２の内側を覆う集塵フィルタ１３を通り、塵埃を捕捉、除去された状態で上方に流れて送風機２に達し、該送風機２により上方に送り出され、通気ダクト１６の上端に開口する送気口１７を経て外部に送り出される。
【００４２】
羽根車２２のハブ及び羽根の下面、即ち、気流の流れ方向上流側への対向面には、夫々の略全面に吸音材２３が被着してある。吸音材２３は、例えば、グラスウール、ロックウールをシート状に成形してなる多孔質材であり、ハブ及び羽根への接着により取付けてある。これらの吸音材２３は、気流中に伝播する音波の音エネルギを吸収し、下流側への伝播を抑制する作用をなす。
【００４３】
前記イオン生成器３は、一面に間隔を隔てて一対の対向電極３０，３１を備え、これらの間に高圧交流の駆動電圧を印加してプラズマ放電を生ぜしめ、周辺の空気中の水分子を帯電させて、略同量の正イオンと負イオンとを生成する公知の構成を有しており、送気筐１１の連結側端部に突設された支持体３２により支持し、対向電極３０，３１が吸気筐１０の内部に位置するように取付けてある。
【００４４】
図３に示すように、支持体３２は、先端部に係合爪３３を備え、該係合爪３３と対向するように基部に止め板３４を備えており、イオン生成器３は、係合爪３３と止め板３４との間に挾持した状態で取付けてある。止め板３４には、以上のように取付けられたイオン生成器３に接触する給電突起３５が設けてあり、イオン生成器３の対向電極３０，３１間には、給電突起３５からの給電により駆動電圧が印加されるようになしてある。
【００４５】
イオン生成器３は、駆動電圧の印加により動作し、対向電極３０，３１が位置する吸気筐１０の内部に正イオン及び負イオンを生成する。生成されたイオンは、吸気筐１０内を前述の如く流れる通気により搬送され、通気ダクト１６及び送気口１７を経て外部に送り出される。
【００４６】
このように送り出される正イオン及び負イオンは、空気清浄機が設置された室の内部に分散して全体に行き渡り、空気中に含まれる細菌、ウイルス、各種の臭い成分等に付着してＯＨラジカルに変化し、付着物から水素を抜き取り、該付着物を分解又は不活性化させて、前記室内の空気を清浄化する。
【００４７】
イオン生成器３の配設位置には、集塵フィルタ１３の通過により塵埃を除去された空気が流れる。イオン生成器３が生成する正イオン及び負イオンは、塵埃を含まない清浄な空気と共に室内に送り出され、該室内の空気は、正イオン及び負イオンの前述した作用と、集塵フィルタ１３による塵埃の除去とにより効果的に清浄化される。
【００４８】
集塵フィルタ１３は、フィルタホルダ１４を介して吸気筐１０の内部で吸気口１２の全面を覆うように取付けてあり、図２に示すように、イオン生成器３よりも気流の流れ方向上流側に位置している。従って、イオン生成器３の配設位置には、吸気口１２から集塵フィルタ１３を経て吸い込まれる気流の略全量が通ることとなり、イオン生成器３が生成する正イオン及び負イオンは、気流と共に送気口１７を経て確実に放出され、正イオン及び負イオンの作用による前述した清浄化効果を良好に実現することができる。
【００４９】
イオン生成器３は、イオン生成動作時に、対向電極３０，３１間のプラズマ放電に伴う放電音を発生する。この放電音は、吸気筐１０及び送気筐１１内の通気ダクト１６を経て送気口１７に達し、該送気口１７から放出されるが、イオン生成器３は、送風機２よりも気流の流れ方向上流側に配してあり、送気口１７から離れて位置するから、該送気口１７を経て設置室内に漏れ出す放電音を低減することができる。
【００５０】
また送風機２の羽根車２２には、前述の如く吸音材２３が被着してあり、イオン生成器３が発生する放電音は、下流側に位置する吸音材２３により吸収されるから、送気口１７から設置室内に漏れ出す放電音を更に低減することが可能となり、静粛な運転が可能となる。吸音材２３は、前述の如く、気流の上流側への羽根車２２の対向面の略全面に被着してあり、気流が流れる送風路の略全域を占めるから、吸音材２３による放電音の吸収は効果的になされ、漏れ出し音の低減効果を高めることができる。なお、吸音材２３は、ハブのみ、羽根のみ等、羽根車２２の一部にのみ被着してもよい。
【００５１】
イオン生成器３が生成するイオンは、前述の如く搬送される過程で、下流側の各部（送風機２の羽根車２２、通気ダクト１６の内面等）に接触し、この接触により消滅する虞れがあるが、送風機２は、軸流送風機であり、羽根車２２の羽根間の流路面積が大きく、また通気ダクト１６を含む送風路を、図示の如く直線状とすることができるから、イオン生成器３が生成するイオンの消滅を軽微に抑え、送気口１７からのイオンの放出量を十分に確保して、高い清浄化機能を維持することができる。
【００５２】
以上の如く構成された空気清浄装置において、吸気筐１０内の集塵フィルタ１３は、運転中に捕捉した塵埃により目詰まりし、また送風機２及びイオン生成器３には、集塵フィルタ１３を通過した細かい塵埃、又は運転休止中に他部から侵入した塵埃が付着することから、これらの点検、保守が必要である。
【００５３】
実施の形態の空気清浄装置においては、外筐１を構成する吸気筐１０と送気筐１１とが着脱自在に連結されており、集塵フィルタ１３、送風機２及びイオン生成器３の点検、保守は、吸気筐１０と送気筐１１とを分離して実施することができる。
【００５４】
図４は、吸気筐１０を分離した状態を示す断面図である。図示のように集塵フィルタ１３及びフィルタホルダ１４は、吸気筐１０と共に取外し、図中に矢符により示すように、送気筐１１との連結側開口から容易に着脱することができる。この着脱は、目詰まりした集塵フィルタ１３を交換するために実施される。集塵フィルタ１３の交換は、吸気筐１０と共に適宜の場所に持ち運んで実施することができ、交換に際して集塵フィルタ１３に捕捉された塵埃が脱落し、周辺を汚す虞れを回避することができる。
【００５５】
図５は、送気筐１１を分離した状態を示す断面図である。前述したように、イオン生成器３の支持体３２は、送気筐１１の連結側端部に突設されていることから、イオン生成器３は、送気筐１１と共に取り外すことができ、使用者は、送気筐１１の外側でイオン生成器３を把持し、支持体３２に対して容易に着脱することができ、例えば。対向電極３０，３１に付着した塵埃を除去する等の繊細な保守作業を、支持部３２からイオン生成器３を取外した状態で容易に実施することができる。支持体３２は、図５中に２点鎖線により示すように、撓み変形が可能な弾性体としてあり、イオン生成器３の着脱は、支持体３２を撓ませて係合爪３３の係合を解除することで容易に実施することができる。
【００５６】
また送風機２は、送気筐１１の連結部近傍に、該連結部に面して取付けてある。従って使用者は、図５に示す分離状態において、送風機２の各部、特に、羽根車２２に対し、送気筐１１の連結側の開口から容易に接近することができ、羽根車２２の点検作業、羽根表面に付着した塵埃の除去等の保守作業を容易に実施することができる。
【００５７】
図３、図５に示すように、送気筐１１の連結側端部には、通気ダクト１６の外側に接触スイッチ４が取付けてある。該接触スイッチ４は、吸気筐１０の連結側に向けて突出するスイッチ片４０を有している。このスイッチ片４０は、図３に示すように、送気筐１１が吸気筐１０と連結された状態においては、吸気筐１０の一部、より詳しくは、吸気筐１０内に取付けたフィルタホルダ１４のフランジ１４ａに接触する。接触スイッチ４は、この状態でオンし、吸気筐１０と送気筐１１とが連結状態にあることを検出する検出手段として機能する。
【００５８】
接触スイッチ４のスイッチ片４０は、送気筐１１が分離された場合には、吸気筐１０との接触解除により、図５に示す如く突出する。接触スイッチ４０は、この状態でオフし、非検出状態となる。空気清浄装置は、このような非検出状態にあるとき、運転、より詳しくは、送風機２及びイオン生成器３の動作を禁止する。従って、前述した点検、保守作業中に送風機２及びイオン生成器３が動作する虞れがなく、安全に作業を実施することができる。
【００５９】
送風機２及びイオン生成器３の動作禁止は、接触スイッチ４０のオン、オフ信号が与えられる運転制御部の動作により実現してもよく、また接触スイッチ４０を、送風機２及びイオン生成器３の給電回路中に介装し、接触スイッチ４０のオフにより電力供給が遮断される構成により実現してもよい。更に、吸気筐１０と送気筐１１とが連結状態にあることを検出する検出手段は、接触スイッチ４０以外の適宜のセンサにより構成してもよい。
【００６０】
図６は、他の実施の形態に係る空気清浄装置の内部構成を略示する側断面図である。本図に示す空気清浄装置は、送風機２の羽根車２２だけでなく、吸気筐１０内のフィルタホルダ１４の外面、及び送気筐１１内の通気ダクト１６の外面にも吸音材２３が被着してある。フィルタホルダ１４には、イオン生成機３よりも気流の流れ方向下流側の周壁に多数の貫通穴１８が形成してあり、吸音材２３は、貫通穴１８の形成領域の外面全周に被着してある。また通気ダクト１６には、送風機２の嵌着部よりも気流の流れ方向下流側の周壁に多数の貫通穴１９が形成してあり、吸音材２３は、貫通穴１９の形成領域の外面全周に被着してある。
【００６１】
このように設けられた吸音材２３は、イオン生成器３が発生する放電音を、貫通穴１８又は１９を経て吸収するから。羽根車２２に設けられた吸音材２３との相乗作用により、送気口１７を経て外部に漏れ出す音を効果的に低減し、静粛な運転を実現することができる。吸音材２３は、以上の形態に限らず、イオン生成器３よりも下流側の送風路内に適宜に設けることができる。また放電音を吸収する吸音手段は、吸音が可能な適宜の構成により実現することができるが、実施の形態に示すように設けられる吸音材２３は、設置が容易であり、また気流の流れを乱さない点で好ましい。
【符号の説明】
【００６２】
１    外筐
２    送風機
３    イオン生成器
４    接触スイッチ
１０  吸気筐
１１  送気筐
１２  吸気口
１３  集塵フィルタ
１７  送気口
２２  羽根車
２３  吸音材（吸音手段）
【図１】
2012237458.tif 000003
【図２】
2012237458.tif 000004
【図３】
2012237458.tif 000005
【図４】
2012237458.tif 000006
【図５】
2012237458.tif 000007
【図６】
2012237458.tif 000008
【手続補正書】
【提出日】平成24年4月13日(2012.4.13)
【手続補正１】
【補正対象書類名】明細書
【補正対象項目名】００５５
【補正方法】変更
【補正の内容】
【００５５】
図５は、送気筐１１を分離した状態を示す断面図である。前述したように、イオン生成器３の支持体３２は、送気筐１１の連結側端部に突設されていることから、イオン生成器３は、送気筐１１と共に取り外すことができ、使用者は、送気筐１１の外側でイオン生成器３を把持し、支持体３２に対して容易に着脱することができ、例えば、対向電極３０，３１に付着した塵埃を除去する等の繊細な保守作業を、支持体３２からイオン生成器３を取外した状態で容易に実施することができる。支持体３２は、図５中に２点鎖線により示すように、撓み変形が可能な弾性体としてあり、イオン生成器３の着脱は、支持体３２を撓ませて係合爪３３の係合を解除することで容易に実施することができる。
【手続補正２】
【補正対象書類名】明細書
【補正対象項目名】００５８
【補正方法】変更
【補正の内容】
【００５８】
接触スイッチ４のスイッチ片４０は、送気筐１１が分離された場合には、吸気筐１０との接触解除により、図５に示す如く突出する。接触スイッチ４は、この状態でオフし、非検出状態となる。空気清浄装置は、このような非検出状態にあるとき、運転、より詳しくは、送風機２及びイオン生成器３の動作を禁止する。従って、前述した点検、保守作業中に送風機２及びイオン生成器３が動作する虞れがなく、安全に作業を実施することができる。
【手続補正３】
【補正対象書類名】明細書
【補正対象項目名】００５９
【補正方法】変更
【補正の内容】
【００５９】
送風機２及びイオン生成器３の動作禁止は、接触スイッチ４のオン、オフ信号が与えられる運転制御部の動作により実現してもよく、また接触スイッチ４を、送風機２及びイオン生成器３の給電回路中に介装し、接触スイッチ４のオフにより電力供給が遮断される構成により実現してもよい。更に、吸気筐１０と送気筐１１とが連結状態にあることを検出する検出手段は、接触スイッチ４以外の適宜のセンサにより構成してもよい。
【手続補正４】
【補正対象書類名】特許請求の範囲
【補正対象項目名】請求項１０
【補正方法】変更
【補正の内容】
【請求項１０】
前記検出手段は、前記吸気筐及び送気筐の一方に取付けてあり、他方との接触によりオンする接触スイッチであることを特徴とする請求項９に記載の空気清浄装置。